(57)【特許請求の範囲】
【請求項１】
上部陳列室および上部陳列室用冷気流路を具備する上冷却ケース部と、
前記上部陳列室用冷気流路内に配設されている上冷却器および上冷却器用送風機と、
前記上部陳列室用冷気流路の一端部に形成され、冷気を上部陳列室に吐出する吐出口と、
前記上部陳列室用冷気流路の他端部に形成され、上部陳列室の空気を吸い込む吸込口と、
前記上冷却ケース部の下側に配置されているとともに、下部陳列室および下部陳列室用冷気流路を具備する下冷却ケース部と、
上冷却ケース部のドレン水を下冷却ケース部に排出する上ドレンパイプと、
下冷却ケース部の下側に配置されている機械室と、
下冷却ケース部のドレン水を機械室に排出する下ドレンパイプとを備え、
前記上部陳列室用冷気流路は、前記上冷却器用送風機の稼働により、大気よりも気圧の高い高圧空間と、高圧空間よりも気圧の低い低圧空間とに分かれ、
前記上ドレンパイプのドレン水入口が、上部陳列室用冷気流路の高圧空間に配置され、
前記上ドレンパイプのドレン水出口が、ドレン水入口の気圧よりも低圧となっている下部陳列室または下部陳列室用冷気流路に配置されていることを特徴とする低温ショーケース。
【請求項２】
上部陳列室および上部陳列室用冷気流路を具備する上冷却ケース部と、
前記上冷却ケース部の下側に配置されているとともに、下部陳列室および下部陳列室用冷気流路を具備する下冷却ケース部と、
前記下部陳列室用冷気流路内に配設されている下冷却器および下冷却器用送風機と、
前記下部陳列室用冷気流路の一端部に形成され、冷気を下部陳列室に吐出する吐出口と、
前記下部陳列室用冷気流路の他端部に形成され、下部陳列室の空気を吸い込む吸込口と、
上冷却ケース部のドレン水を下冷却ケース部に排出する上ドレンパイプと、
下冷却ケース部の下側に配置されている機械室と、
下冷却ケース部のドレン水を機械室に排出する下ドレンパイプとを備え、  前記下部陳列室用冷気流路は、前記下冷却器用送風機の稼働により、大気よりも気圧の高い高圧空間と、高圧空間よりも気圧の低い低圧空間とに分かれ、
前記上ドレンパイプのドレン水出口が、下部陳列室用冷気流路の低圧空間に配置され、
前記上ドレンパイプのドレン水入口が、ドレン水出口の気圧よりも高圧となっている上部陳列室または上部陳列室用冷気流路に配置されていることを特徴とする低温ショーケース。
【発明の詳細な説明】
【０００１】
【発明の属する技術分野】
本発明は、上部陳列室および下部陳列室の２個の陳列室が配置されている低温ショーケースに関する。
【０００２】
【従来の技術】
低温ショーケースに上部陳列室および下部陳列室を配置し、上部陳列室を冷却する上冷却器と、下部陳列室を冷却する下冷却器とを設けることが、検討されている。
【０００３】
【発明が解決しようとする課題】
ところで、冷却器への負荷は、たとえば、外気温度、商品の出し入れ頻度や陳列室の形式などで異なる。そして、上冷却器への負荷が小さく、下冷却器への負荷が大きい場合がある。この様な場合に、上冷却器の冷却能力は余裕があるが、下冷却器の冷却能力が不足することがある。すると、上冷却器の冷却能力には余裕があるにも係わらず、下部陳列室の冷却が不十分となる。
【０００４】
本発明は、以上のような課題を解決するためのもので、簡単な構造で、上部陳列室の上冷却器が下部陳列室の下冷却器を補助することができる低温ショーケースを提供することを目的とする。
【０００５】
【課題を解決するための手段】
本発明の低温ショーケースは、上部陳列室（１９）および上部陳列室用冷気流路（１４）を具備する上冷却ケース部（１）と、上冷却ケース部の下側に配置されているとともに下部陳列室（５１）および下部陳列室用冷気流路（４６）を具備する下冷却ケース部（２）と、上冷却ケース部のドレン水を下冷却ケース部に排出する上ドレンパイプ（７６）と、下冷却ケース部の下側に配置されている機械室（３）と、下冷却ケース部のドレン水を機械室に排出する下ドレンパイプ（７８）とを備えている。
【０００６】
そして、本出願の請求項１記載の発明の低温ショーケースでは、上部陳列室用冷気流路内に上冷却器（１６）および上冷却器用送風機（１７）が配設され、この上部陳列室用冷気流路の一端部には、冷気を上部陳列室に吐出する吐出口（１４ａ）が、一方、他端部には、上部陳列室の空気を吸い込む吸込口（１４ｂ）が形成されている。上冷却器用送風機が稼働すると、上部陳列室用冷気流路は、大気よりも気圧の高い高圧空間（１４ｄ）と、高圧空間よりも気圧の低い低圧空間（１４ｃ）とに分かれている。この上部陳列室用冷気流路の高圧空間に、上ドレンパイプのドレン水入口（７６ａ）が配置され、一方、上ドレンパイプのドレン水出口（７６ｂ）が、ドレン水入口の気圧よりも低圧となっている下部陳列室または下部陳列室用冷気流路に配置されている。
【０００７】
また、本出願の請求項２記載の発明の低温ショーケースでは、下部陳列室用冷気流路内に下冷却器（４７）および下冷却器用送風機（４８）が配設され、この下部陳列室用冷気流路の一端部には、冷気を下部陳列室に吐出する吐出口（４６ａ）が、一方、他端部には、下部陳列室の空気を吸い込む吸込口（４６ｂ）が形成されている。下冷却器用送風機が稼働すると、下部陳列室用冷気流路は、大気よりも気圧の高い高圧空間（４６ｄ）と、高圧空間よりも気圧の低い低圧空間（４６ｃ）とに分かれている。この下部陳列室用冷気流路の低圧空間に、上ドレンパイプのドレン水出口が配置され、一方、上ドレンパイプのドレン水入口が、ドレン水出口の気圧よりも高圧となっている上部陳列室または上部陳列室用冷気流路に配置されている。
【０００８】
【発明の実施の形態】
次に、本発明における低温ショーケースの実施の一形態を図１ないし図３を用いて説明する。図１は本発明における低温ショーケースの斜視図である。図２は冷気およびドレン水の流れを説明するための低温ショーケースの透視図である。図３は低温ショーケースの縦断面図である。
【０００９】
低温ショーケースは、上部に冷却ケース部１、２が、下部に機械室３が配置されている。冷却ケース部１、２は、上冷却ケース部１および、この上冷却ケース部１の下側に配されている下冷却ケース部２からなり、上冷却ケース部１はクローズドタイプであり、下冷却ケース部２はオープンタイプである。
【００１０】
上冷却ケース部１は、上面の前部、前面の上部および両側面の上部が、透明板であるガラス板６で、上面の後部、前面の下部および両側面の下部が断熱板８で、後面が上冷却ケース部用断熱後壁９で覆われている。この断熱板８および上冷却ケース部用断熱後壁９は、外側がステンレス板や塗装鋼板などの板材で覆われている発泡合成樹脂たとえば硬質の発泡ポリウレタンなどからなる断熱材で構成されている。また、上冷却ケース部１と下冷却ケース部２との間には、ステンレス板などからなる隔壁１２が配置されている。この上冷却ケース部１の底壁である隔壁１２の上方には、間隔を有して底板１３が配され、この底板１３と隔壁１２との間の空間が、冷却室１４となっている。この上部陳列室用冷気流路としての冷却室１４の内部には送風機カバー１５が設けられ、送風機カバー１５の前面の開口に上冷却器用送風機１７が、送風機カバー１５の内部には上冷却器１６が配置されている。そして、冷却室１４の一端部である底板１３の後側には、冷気吐出口１４ａが、一方、冷却室１４の他端部である底板１３の前側には、吸込口１４ｂが形成されている。
【００１１】
また、ガラス板６、上面の断熱板８、上冷却ケース部用断熱後壁９および底板１３で囲まれている空間が上部陳列室１９となる。この上部陳列室１９には陳列棚２１が着脱自在に設けられている。さらに、上冷却ケース部用断熱後壁９には、上部陳列室１９の商品を取り出し、または収納する商品用開口２３が形成され、この商品用開口２３には、背面扉である左右一対のガラス扉２６がスライド可能に設けられ、商品用開口２３を開閉自在に閉塞している。
【００１２】
下冷却ケース部２は、上面が下冷却ケース部２の天壁である隔壁１２で、後面が下冷却ケース部用断熱後壁３１で、下面が機械室３との間の断熱隔壁３２で、両側面がガラス板部を具備する断熱材からなる断熱側板３３で覆われており、前面には商品を取り出し、または収納する商品用開口３６が形成されている。そして、下冷却ケース部用断熱後壁３１および断熱隔壁３２は断熱材で構成されている。
【００１３】
また、下冷却ケース部用断熱後壁３１は、上側に配置されている上冷却ケース部１の上冷却ケース部用断熱後壁９と一体に成形されているとともに、上冷却ケース部用断熱後壁９よりも少し前側に位置しており、上冷却ケース部用断熱後壁９と下冷却ケース部用断熱後壁３１との境目には段部が形成されている。そして、下冷却ケース部用断熱後壁３１の厚みは、上冷却ケース部用断熱後壁９の厚みよりも少し薄くなっている。また、断熱側板３３は、上冷却ケース部１の冷却室１４の側壁を構成する断熱板８と一体に成形されている。
【００１４】
そして、隔壁１２、下冷却ケース部用断熱後壁３１および断熱隔壁３２の内面より適当な間隔を有して、塗装鋼板やステンレスなどの錆びない金属板からなる区画天板４１、区画壁板４２および区画床板４３が配設されている。これら区画天板４１、区画壁板４２および区画床板４３と、隔壁１２、下冷却ケース部用断熱後壁３１および断熱隔壁３２との間の空間が冷気流路４６となる。この下部陳列室用冷気流路である冷気流路４６には、区画床板４３の下方に送風機カバー４５が設けられ、この送風機カバー４５の前面開口に下冷却器用送風機４８が設けられている。また、区画壁板４２の後側に下冷却器４７が配設されている。そして、送風機カバー４５の両側板４５ａは下冷却器４７の下端まで延在している。
【００１５】
また、冷気流路４６の一端部である区画天板４１の前側には冷気吐出口４６ａが、一方、冷気流路４６の他端部である区画床板４３の前側には吸込口４６ｂが形成されている。また、断熱側板３３、区画天板４１、区画壁板４２および区画床板４３で囲まれた貯蔵室としての下部陳列室５１には、商品陳列棚５２が設けられている。
【００１６】
機械室３には、凝縮器５６、凝縮器用送風機５７および圧縮機（図示しない）などが設けられ、この凝縮器５６、圧縮機および前述の上冷却器１６および下冷却器４７は、冷凍サイクルを構成している。この機械室３は、両側面が側面パネル６１で、前面が前面パネル６２で、背面が背面パネル６３で覆われている。この前面パネル６２には吸気口６２ａが、背面パネル６３には排気口６３ａが形成されている。
【００１７】
そして、背面パネル６３の上端は、機械室３よりも上方に延在している。この背面パネル６３の延在部分６３ｂは、下冷却ケース部用断熱後壁３１の後面と間隔を有し、延在部分６３ｂと下冷却ケース部用断熱後壁３１との間に空間が形成され、この空間が排気ダクト６６となっている。この排気ダクト６６の上端は、下冷却ケース部用断熱後壁３１の上端付近まで延在し、かつ、排気ダクト６６の左右の横幅は、下冷却ケース部用断熱後壁３１の横幅と略同じであり、排気ダクト６６は下冷却ケース部用断熱後壁３１の後面の略全面を覆っている。この排気ダクト６６の下端は機械室３の後端部に連通し、排気ダクト６６の上端には、排気口６８が形成されている。この排気口６８は、空気を上方に排出する事ができるように、上方に向かって開口している。
【００１８】
次に、ドレン水の排水構造を説明する。上冷却ケース部１のドレン水を下冷却ケース部２に排出する上ドレンパイプ７６は、下冷却ケース部２の冷気流路４６内の左側および右側に各々１本ずつ延在して設けられている。そして、上ドレンパイプ７６の一端部であるドレン水入口７６ａは、隔壁１２の後端部の両サイド、すなわち上冷却器１６の後側の両横に配置され、一方、上ドレンパイプ７６の他端部であるドレン水出口７６ｂは、断熱隔壁３２上の左右両側すなわち、下冷却ケース部２の送風機カバー４５の両側面の外側に配置されている。この送風機カバー４５の側板４５ａの下端と、断熱隔壁３２との間には隙間が形成されており、この隙間を通ってドレン水は送風機カバー４５内に流入することができる。
【００１９】
そして、下ドレンパイプ７８は機械室３内に配置されており、その上端部であるドレン水入口７８ａが、断熱隔壁３２の中央部付近、すなわち送風機カバー４５内の中央部付近に開口している。断熱隔壁３２の上面は、ドレン水入口７８ａに近づくほど下側となる様に傾斜している。一方、下ドレンパイプ７８の下端部であるドレン水出口（図示しない）は、排水口などに接続されており、ドレン水を低温ショーケースの外に排出している。また、この下ドレンパイプ７８には、Ｕトラップなどの冷気流出防止手段（図示しない）が設けられ、下冷却ケース部２内の冷気が機械室３などに流出しないように構成されている。なお、上ドレンパイプ７６には、Ｕトラップなどの冷気流出防止手段は設けられておらず、冷気が上ドレンパイプ７６内を流れることは可能に構成されている。
【００２０】
この様に構成されている低温ショーケースの冷凍サイクルが稼働すると、上冷却器１６および下冷却器４７が低温となり、周囲の空気を冷却する。そして、図２および図３に図示するように、上冷却ケース部１においては、上冷却器用送風機１７が、上冷却器１６で冷却された冷気を、冷気吐出口１４ａから上部陳列室１９内に吐出し、また、上部陳列室１９内の空気を吸込口１４ｂから冷却室１４内に吸い込んでいる。この様にして、空気を強制循環させながら、上部陳列室１９を冷却している。
【００２１】
また、下冷却ケース部２においては、下冷却器用送風機４８が、下冷却器４７で冷却された冷気を、冷気吐出口４６ａから下部陳列室５１内に吐出している。下部陳列室５１内に吐出された冷気は、下冷却ケース部２の商品用開口３６に沿って流れてエアーカーテン７１を形成し、吸込口４６ｂから冷気流路４６内に流入している。この様にして、空気を強制循環させながら、下部陳列室５１を冷却している。
【００２２】
そして、上冷却ケース部１の上冷却器１６および、下冷却ケース部２の下冷却器４７には、霜が付着するので、時々除霜が行われ、除霜水が発生している。上冷却器１６の除霜水などのドレン水は、ドレン水入口７６ａから上ドレンパイプ７６に流入し、ドレン水出口７６ｂから断熱隔壁３２の左右両側の部分に排出される。断熱隔壁３２上に排出されたドレン水は、図２において二重線の矢印で図示するように、送風機カバー４５の側板４５ａと断熱隔壁３２との隙間を通って、送風機カバー４５内に侵入する。一方、下冷却器４７の除霜水などのドレン水は、断熱隔壁３２上に落下し、送風機カバー４５内に流入している。この様にして、上冷却器１６の除霜水および下冷却器４７の除霜水などのドレン水は、送風機カバー４５内に流入し、ついで、ドレン水入口７８ａから下ドレンパイプ７８に流入して、機械室３を介して低温ショーケースの外に排出されている。
【００２３】
また、上冷却ケース部１において、上部陳列室１９の気圧は略大気圧である。そして、上冷却器用送風機１７が稼働すると、吸込口１４ｂと上冷却器用送風機１７との間すなわち上冷却器用送風機１７よりも上流側の気圧は低くなり、上冷却器用送風機１７と冷気吐出口１４ａとの間すなわち上冷却器用送風機１７よりも下流側の気圧は高くなる。この様にして、冷却室１４内は、上流側および上流側に近い部分に形成される気圧の低い低圧空間１４ｃと、下流側および下流側に近い部分に形成される気圧の高い高圧空間１４ｄとに分かれる。この様に、低圧空間１４ｃの気圧は高圧空間１４ｄの気圧よりも低くなっている。同様にして、下冷却ケース部２においても、下部陳列室５１の気圧は略大気圧であり、下冷却器用送風機４８が稼働すると、吸込口４６ｂと下冷却器用送風機４８との間すなわち下冷却器用送風機４８よりも上流側の気圧は低くなり、下冷却器用送風機４８と冷気吐出口４６ａとの間すなわち下冷却器用送風機４８よりも下流側の気圧は高くなる。そして、冷気流路４６内は、上流側および上流側に近い部分に形成される気圧の低い低圧空間４６ｃと、下流側および下流側に近い部分に形成される気圧の高い高圧空間４６ｄとに分かれる。この様に、低圧空間４６ｃの気圧は高圧空間４６ｄの気圧よりも低くなっている。
【００２４】
上ドレンパイプ７６のドレン水入口７６ａは、冷却室１４の高圧空間１４ｄに配置され、一方、上ドレンパイプ７６のドレン水出口７６ｂは、冷気流路４６の低圧空間４６ｃに配置されている。この様に、ドレン水入口７６ａとドレン水出口７６ｂとで気圧に差が生じているので、上冷却ケース部１の冷却室１４内の冷気が、上ドレンパイプ７６を通って、下冷却ケース部２の冷気流路４６に供給されている。冷気流路４６に供給された冷気は、図２において、一重線の矢印で図示するように、送風機カバー４５の側板４５ａに沿って、前方に流れてから、下冷却器用送風機４８に吸い込まれている。そして、冷気流路４６の吸込口４６ｂから吸い込まれた空気と合流して、冷気流路４６内を流れ、冷気吐出口４６ａから下部陳列室５１内に吐出されている。
【００２５】
ところで、下ドレンパイプ７８のドレン水入口７８ａは、冷気流路４６の高圧空間４６ｄに配置されているが、下ドレンパイプ７８には、Ｕトラップなどの冷気流出防止手段が設けられているので、空気が流れることがない。したがって、下冷却ケース部２の冷気が下ドレンパイプ７８を介して低温ショーケースの外に流出することを防止することができる。
【００２６】
また、機械室３においては、凝縮器用送風機５７が稼働すると、前面パネル６２の吸気口６２ａから外気を吸い込んで、凝縮器５６を空冷し、凝縮器５６で温まった空気すなわち暖気の一部を、背面パネル６３の排気口６３ａから後方に排気し、一方、暖気の残りを排気ダクト６６を介して排気口６８から上方に向けて排気している。排気口６８から排気された暖気は、ガラス扉２６の後面に沿って上方に流れている。この暖気の流れでガラス扉２６を加熱し、上冷却ケース部１のガラス扉２６における結露を防止している。
【００２７】
そして、背面パネル６３の排気口６３ａは開閉自在に構成されており、ガラス扉２６の結露が多い時、たとえば外気が温かく、かつ、湿気ている時には、背面パネル６３の排気口６３ａを閉じて、排気ダクト６６の排気口６８からの排気量を増大させている。一方、ガラス扉２６の結露が少ない時、たとえば外気が低温でかつ、乾燥している時には、背面パネル６３の排気口６３ａを開けて、排気ダクト６６の排気口６８からの排気量を減少させている。この様に、排気口６３ａを開閉自在に構成することにより、ガラス扉２６を必要以上に加熱することを防止することができる。
【００２８】
この様な低温ショーケースは、上部陳列室１９の温度と、下部陳列室５１の温度とは略同じ値に設定されており、上部陳列室１９には、ケーキなどの乾燥を嫌うものが陳列されている。そして、購買客の注文に応じて、店員がガラス扉２６を開けて、商品を取り出している。一方、下部陳列室５１には、容器に入っているプリンや、サンドイッチなどが陳列され、購買客などが、商品用開口３６から自由に取り出すことができる。
【００２９】
そして、上冷却ケース部１はクローズドタイプであり、冷気の流出が少ないので、上冷却器１６の冷却能力には余裕が生じている。一方、下冷却ケース部２はオープンタイプであり、商品用開口３６からの冷気の流出が、上冷却ケース部１よりも多く、下冷却器４７には、上冷却器１６よりも大きな負荷がかかり、冷却能力に余裕がないことがある。しかしながら、この実施の形態では、上ドレンパイプ７６を利用して、上冷却ケース部１の冷気を下冷却ケース部２側に供給している。したがって、上冷却器１６が下冷却ケース部２の下部陳列室５１の冷却を補助することができる。
【００３０】
前述の様に、実施の形態では、上ドレンパイプ７６の一端部であるドレン水入口７６ａが、上冷却ケース部１の冷却室１４の高圧空間１４ｄに、一方、上ドレンパイプ７６の他端であるドレン水出口７６ｂが、下冷却ケース部２の冷気流路４６の低圧空間４６ｃに配置されているので、冷却室１４の冷気を冷気流路４６に円滑に供給することができる。また、この冷気はドレン水と同じ方向に流れ、ドレン水の排水をより円滑に行うことができる。
【００３１】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、上冷却ケース部１はクローズドタイプで、下冷却ケース部２はオープンタイプであるが、上冷却ケース部１をオープンタイプとしたり、下冷却ケース部２をクローズドタイプとしたりすることも可能である。また、低温ショーケースは、冷蔵でも、冷凍でも可能である。さらに、陳列する商品は、ケーキ、プリンやサンドイッチなどに限定されることはなく、適宜他の商品を陳列することが可能である。
【００３２】
（２）実施の形態においては、上部陳列室１９の温度と、下部陳列室５１の温度とを略同じ値に設定しているが、異なる値とすることも可能である。なお、上部陳列室１９の温度を、下部陳列室５１の温度よりも低く設定すると、上冷却器１６で下部陳列室５１の冷却を効率よく補助することができる。
（３）実施の形態においては、一個の凝縮器５６が、上冷却器１６および下冷却器４７の２個の冷却器と冷凍サイクルを構成しているが、凝縮器５６を二個設け、一方の凝縮器５６が上冷却器１６と冷凍サイクルを構成し、他方の凝縮器５６が下冷却器４７と冷凍サイクルを構成することも可能である。
【００３３】
（４）実施の形態においては、上ドレンパイプ７６のドレン水入口７６ａが上部陳列室用冷気流路である冷却室１４の高圧空間１４ｄに、一方、上ドレンパイプ７６のドレン水出口７６ｂが、下部陳列室用冷気流路の冷気流路４６の低圧空間４６ｃに配置されているが、上ドレンパイプ７６のドレン水入口７６ａにおける気圧が、ドレン水出口７６ｂにおける気圧よりも高くなっていれば、ドレン水入口７６ａやドレン水出口７６ｂは、陳列室や冷気流路の適宜の場所に配置することができる。
（５）冷気流路、冷却器や冷却器用送風機などの構造や配置などは、適宜変更することができる。
【００３４】
【発明の効果】
本発明の低温ショーケースでは、上冷却ケース部のドレン水は、上ドレンパイプを通って下冷却ケース部に流入し、下冷却ケース部のドレン水と合流して下ドレンパイプを介して機械室に排出されている。この様に、下ドレンパイプが、上冷却ケース部および下冷却ケース部のドレン水の排水に兼用されている。したがって、上冷却ケース部のドレン水を機械室に排出する専用のドレンパイプと、下冷却ケース部のドレン水を機械室に排出する専用のドレンパイプとを別々に設ける場合よりも、ドレンパイプの配管量が減少し、部品点数やコストなどを削減することができる。
【００３５】
この様に構成されている低温ショーケースにおいて、本出願の請求項１記載の発明では、上ドレンパイプのドレン水入口が、上部陳列室用冷気流路の高圧空間に配され、一方、ドレン水出口が、ドレン水入口の気圧よりも低圧となっている下部陳列室または下部陳列室用冷気流路に配置されている。そして、この高圧空間の圧力により、上部陳列室用冷気流路の冷気が、上ドレンパイプを通って、下部陳列室または下部陳列室用冷気流路に流入している。その結果、別途、冷気用ダクトなどを設けることなく、上ドレンパイプを有効利用して、上冷却ケース部の冷却器が、下冷却ケース部における冷却を補助することができる。
【００３６】
また、本出願の請求項２記載の発明では、上ドレンパイプのドレン水出口が、下部陳列室用冷気流路の低圧空間に配され、一方、ドレン水入口が、ドレン水出口の気圧よりも高圧となっている上部陳列室または上部陳列室用冷気流路に配置されている。そして、この低圧空間の吸い込み力により、上部陳列室または上部陳列室用冷気流路の冷気が、上ドレンパイプを通って、下部陳列室用冷気流路に流入している。その結果、別途、冷気用ダクトなどを設けることなく、上ドレンパイプを有効利用して、上冷却ケース部の冷却器が、下冷却ケース部における冷却を補助することができる。
【図面の簡単な説明】
【図１】図１は本発明における低温ショーケースの斜視図である。
【図２】図２は冷気およびドレン水の流れを説明するための低温ショーケースの透視図である。
【図３】図３は低温ショーケースの縦断面図である。
【符号の説明】
１  上冷却ケース部
２  下冷却ケース部
３  機械室
１４  冷却室（上部陳列室用冷気流路）
１４ａ  冷気吐出口
１４ｂ  吸込口
１４ｃ  低圧空間
１４ｄ  高圧空間
１６  上冷却器
１７  上冷却器用送風機
１９  上部陳列室
４６  冷気流路（下部陳列室用冷気流路）
４６ａ  冷気吐出口
４６ｂ  吸込口
４６ｃ  低圧空間
４６ｄ  高圧空間
４７  下冷却器
４８  下冷却器用送風機
５１  下部陳列室
７６  上ドレンパイプ
７６ａ  ドレン水入口
７６ｂ  ドレン水出口
７８  下ドレンパイプ
【図１】
0003634537.tif 000002
【図２】
0003634537.tif 000003
【図３】
0003634537.tif 000004